(57)【要約】      （修正有）【課題】注射器に取り付けた注射針を、注射針に触れることなく、安全、且つ、容易に取り外しができると共に、注射針を収納できる安価な注射針取り外し器を提供する。【解決手段】上方に開口する容器２と、容器２の開口部に着脱自在に設けられると共に、開口部に連通する連通孔が形成された蓋体５と、蓋体５に固定されると共に、連通孔に連通し、且つ、注射針を挿入するための挿入孔７が形成され、更に、挿入孔７内に出入して、挿入孔内に挿入された注射針を把持自在である把持部８が設けられると共に、把持部８を操作する操作レバー９が配設された把持部材１０とを備え、注射器に取り付けた注射針を前記挿入孔７に挿入し、注射針の基部を前記把持部８に把持させた状態で、注射器から、注射針を取外し、前記把持部８の把持を開放して、注射針を自重により容器２内に落下させ、容器２内に収容するように構成した注射針取り外し器１を提供する。【選択図】図２
0003115180.tif 000002
【実用新案登録請求の範囲】
【請求項１】
上方に開口する容器と、該容器の開口部に着脱自在に設けられると共に、該開口部に連通する連通孔が形成された蓋体と、該蓋体に固定されると共に、該連通孔に連通し、且つ、注射針を挿入するための挿入孔が形成され、更に、該挿入孔内に出入して、該挿入孔内に挿入された注射針を把持自在である把持部が設けられると共に、該把持部を操作する操作レバーが配設された把持部材とを備え、注射器に取り付けた注射針を前記挿入孔に挿入し、該注射針の基部を前記把持部に把持させた状態で、該注射器から、該注射針を取外し、前記把持部の把持を開放して、該注射針を自重により容器内に落下させ、該容器内に収容するように構成したことを特徴とする注射針取り外し器。
【請求項２】
上記把持部は、上記挿入孔の中心方向に突出するように付勢された３つの把持片を備え、該３つの把持片の先端部によって上記注射針の基部を把持するように構成されていることを特徴とする請求項１記載の注射針取り外し器。
【考案の詳細な説明】
【技術分野】
【０００１】
本考案は、注射器に取り付けた注射針を安全に、取り外しができると共に、注射針を収納できる注射針取り外し器に関する。
【背景技術】
【０００２】
血液を媒体として感染する疾患として、肝炎ウィルス、ＡＩＤＳなどがあるが、その他にも様々な疾患があることが知られている。
【０００３】
一方、医療の現場に於いては注射器を日常的に用いることから、医師・歯科医師・看護師・歯科衛生士等の医療関係者に、患者に使用した注射針を自己に誤って刺してしまう、いわゆる針刺し事故とその事故から感染する事例が数多く起きている。
【０００４】
その感染により、死に至ることも稀でなく、このことは、日本だけでなく、全世界的な問題となっている。特に発展途上国においては、ＡＩＤＳが爆発的に拡大し、蔓延しており、針刺し事故の対策が早急に求められている。
【０００５】
そこで、針刺し事故の予防のために、従来、多くの注射針・注射器に対し様々な安全策がとられているが、用いられている注射針・注射器の種類が多く、完全に対策がなされたとは言い難いのが現状である。
【０００６】
特に、注射器に針を装着する際、いわゆるロック式という、注射針を注射器にねじ込み装着するタイプがある。この場合においては、使用した後に注射針と注射器とを一緒に廃棄すれば問題がない。
【０００７】
しかし、全世界的に歯科医療において広く一般的に用いられている注射器は金属製で、滅菌処理後に再使用することから、使用後に汚染された注射針を注射器から外す必要がある。
【０００８】
その際に、針刺し事故の高い危険性が存在するのである。そこで、安価であり、安全、且つ、確実に使用後の注射器から注射針を外す方法（機器）の開発が全世界的に求められてきた。
【０００９】
そして、現在、ロック式の注射器から注射針を外す機器が数社から発売されている。
【００１０】
然しながら、これらの注射針を外す機器は、次のような問題点がある。
例えば、一例の注射針を外す機器は、注射針と注射器のみならず、使用した注射針を貯蔵し、廃棄する容器まで、専用のものを使用する構成となっており、汎用性がない。即ち、最も一般的に用いられている注射針と注射器は使用できないものである。更に、従来の歯科専用のものは、歯科における注射器のみに特化されたものであり、医科一般に用いられている注射針に適用することは困難である。
【００１１】
又、最も一般的に用いられている注射器から注射針を外すことが可能な電動の機械が日本に於いて発売されているが、この機械は、高価であり、国内においてさえ殆ど使用されていない。更に、発展途上国においては、全く使用される可能性がないものである。
【００１２】
特許文献１にも、カートリッジホルダに螺合されたディポーザブル注射針の取り外し器が記載されており、この取り外し器は、蓋状の取り外し板と、その下部に着脱可能に取着された廃棄針の収納容器とから成り、取り外し板の中央部に、螺合されたカートリッジホルダの筒先と注射針とを容易に挿入できる挿入口を有し、また挿入口から外方に向けて少なくともカートリッジホルダの筒先外径まで暫縮する溝幅の針基取り外し用長溝が延設され、且つ、長溝の両側の板部がウエッジ状断面に形成されているものである。これにより、外寸の異なるディポーザブル注射針の取り外しが可能で、分離された廃棄注射針は収納容器に落下貯留される。
【特許文献１】特開２００１−２８６５６３号公報
【考案の開示】
【考案が解決しようとする課題】
【００１３】
前述したように、従来の、前記一例のロック式の注射器から注射針を外す機器は、注射針と注射器のみならず、使用した注射針を貯蔵し、廃棄する容器まで、専用のものを使用するものであり、汎用性がないという問題があり、又、他例の電動の注射針を外す機械は、高価であり、殆ど使用されていないという問題がある。
【００１４】
更に、特許文献１の注射針の取り外し器は、外寸の異なるディポーザブル注射針の取り外しが可能であり、分離された廃棄注射針は収納容器に落下貯留されるという利点を備えるが、取り外し操作が容易でなく、且つ、注射針の取り外し時の保持が安定しないため、注射針を外しにくいという問題がある。
【００１５】
以上の現状に鑑み、本考案は、注射器に取り付けた注射針を、注射針に触れることなく、安全、且つ、容易に取り外しができると共に、注射針を収納できる安価な注射針取り外し器を提供することを目的とする。
【課題を解決するための手段】
【００１６】
上記の課題を解決すべく、本考案は以下の構成を提供する。
請求項１に係る考案は、上方に開口する容器と、該容器の開口部に着脱自在に設けられると共に、該開口部に連通する連通孔が形成された蓋体と、該蓋体に固定されると共に、該連通孔に連通し、且つ、注射針を挿入するための挿入孔が形成され、更に、該挿入孔内に出入して、該挿入孔内に挿入された注射針を把持自在である把持部が設けられると共に、該把持部を操作する操作レバーが配設された把持部材とを備え、注射器に取り付けた注射針を前記挿入孔に挿入し、該注射針の基部を前記把持部に把持させた状態で、該注射器から、該注射針を取外し、前記把持部の把持を開放して、該注射針を自重により容器内に落下させ、該容器内に収容するように構成したことを特徴とする注射針取り外し器を提供するものである。
【００１７】
請求項２に係る考案は、上記把持部は、上記挿入孔の中心方向に突出するように付勢された３つの把持片を備え、該３つの把持片の先端部によって上記注射針の基部を把持するように構成されていることを特徴とする請求項１記載の注射針取り外し器を提供するものである。
【考案の効果】
【００１８】
本考案の請求項１記載の考案によれば、上方に開口する容器と、該容器の開口部に着脱自在に設けられると共に、該開口部に連通する連通孔が形成された蓋体と、該蓋体に固定されると共に、該連通孔に連通し、且つ、注射針を挿入するための挿入孔が形成され、更に、該挿入孔内に出入して、該挿入孔内に挿入された注射針を把持自在である把持部が設けられると共に、該把持部を操作する操作レバーが配設された把持部材とを備え、注射器に取り付けた注射針を前記挿入孔に挿入し、該注射針の基部を前記把持部に把持させた状態で、該注射器から、該注射針を取外し、前記把持部の把持を開放して、該注射針を自重により容器内に落下させ、該容器内に収容するように構成した注射針取り外し器を提供するので、注射器に取り付けた注射針を、注射針に触れることなく、安全、且つ、容易に取り外しができると共に、注射針を収納できる安価な注射針取り外し器を提供できる。
【００１９】
請求項２記載の考案によれば、上記把持部は、上記挿入孔の中心方向に突出するように付勢された３つの把持片を備え、該３つの把持片の先端部によって上記注射針の基部を把持するように構成されているので、請求項１記載の考案の効果に加え、注射針の基部を安定して把持できる。
【考案を実施するための最良の形態】
【００２０】
以下、実施例を示した図面を参照しつつ本考案の実施の形態を説明する。
図１及び図２に於いて、１は本考案による注射針取り外し器を示し、注射針取り外し器１は、上方に開口する市販のポリエチレン等から成る容器２と、容器２の開口部３に螺着等により着脱自在に設けられると共に、開口部３に連通する連通孔４が形成されたポリエチレン等から成る蓋体５と、蓋体５にボルト６，６…等で固定されると共に、連通孔４に連通する挿入孔７が形成され、且つ、挿入孔７内に出入して、挿入孔７内に挿入された注射針（図４に於いて５２）を把持自在である把持部８が設けられ、更に、把持部８を操作する操作レバー９が配設された把持部材１０とを備えている。
【００２１】
そして、前記把持部８は、図３（ａ）に示す如く、前記挿入孔７の中心方向に突出するように付勢された３つの把持片２１，２１，２１を備え、３つの把持片２１，２１，２１の先端部２１ａ，２１ａ，２１ａによって注射針（図４に於いて５２）の基部（図４に於いて５２ａ）を把持するように構成されている。尚、把持片２１の先端部２１ａには安定した把持を確保するためゴム体等が配設されている。
【００２２】
前記把持片２１，２１，２１は、把持部材本体２２内に内装された略円盤状の回転体２３の回転によって、挿入孔７内に出入する構成となっている。
【００２３】
その構成について説明すると、把持部材本体２２は、下板（図１に於いて２２ａ）と、下板上を所定のスペースを内包して覆うケース２４とから形成され、ケース２４は上板２４ａと側板２４ｂとが一体に形成された形状を有し、上板２４ａ略中央部に挿入孔７が開穿されている。又、下板は、略中央部に前記挿入孔７が開穿されると共に、挿入孔７よりも大径の同心円上に等間隔に３個の枢支体２５，２５，２５が上板２４ａ方向に突設して設けられている。
【００２４】
そして、把持部材本体２２の内部スペースに前記回転体２３と、前記把持片２１，２１，２１が収納され、回転体２３は、その中心部に、下板に開穿された連通口４の内周面に沿って突設するリブ２６を有し、リブ２６によって連通口４回りを回転自在に設置され、回転体２３の外周近傍に外方に開放する３個のＵ字溝２７，２７，２７が形成され、Ｕ字溝２７，２７，２７とリブ２６との中間部であって、リブ２６よりも大径の同心円上に等間隔に円弧状の３個の長孔２８，２８，２８が形成されている。そして、回転体２３を下板上に設置した時、長孔２８，２８，２８内を前記枢支体２５，２５，２５が貫通するように構成されている。
【００２５】
又、回転体２３には把持部材本体２２内から外方に延設される操作レバー９が固設されており、回転体２３はバネ３０によって図に於いて時計周り方向に付勢されており、ケース２４に形成された操作レバー９の延設用開口部（図４に於いて３１）の端部に操作レバー９が当接することにより、前記回転体２３の回転が規制されている。
【００２６】
更に、前記把持片２１は、略中心部に前記枢支体２５に枢支させる枢支孔４１が開穿され、把持片２１の基部には、前記Ｕ字溝２７に突設して回転自在に係合する円柱状の突設部４２が形成されている。尚、図に於いて、４３はケース２４に固定され、ケース２４から外方に延設する固定レバーであり、操作者が前記操作レバー９と同時に把持することにより、操作レバー９を操作しやすくするものである。
【００２７】
而して、把持部材１０の把持動作について説明すると、操作レバー９が操作されない状態に於いては、操作レバー９は、図３（ａ）の状態で停止しており、その場合、把持片２１，２１，２１の先端部２１ａ，２１ａ，２１ａは、挿入孔７内に突出した状態になっている。
【００２８】
次に、同図（ｂ）に示す如く、前記固定レバー４３と前記操作レバー９を把持して、操作レバー９を矢印Ａ方向に操作すると、バネ３０の付勢に抗して回転体２３が矢印Ｂの如く挿入孔７回りに反時計回り方向に回転し、その時、前記長孔２８，２８，２８が前記枢支体２５，２５，２５の左方向に回転移動することにより、回転体２３の所定の回転が許容され、回転体２３の回転により、前記Ｕ字溝２７，２７，２７も矢印Ｃ方向に反時計回りに回転することにより、Ｕ字溝２７，２７，２７に係止された前記突設部４２，４２，４２も移動し、それによって、前記把持片２１，２１，２１は、夫々移動しない前記枢支体２５，２５，２５回りに回転し、把持片２１，２１，２１の先端部２１ａ，２１ａ，２１ａが前記挿入孔７内から矢印Ｄ，Ｄ，Ｄの如く、外方に移動し、挿入孔７内の隙間が大きく開放する。
【００２９】
そして、この状態で挿入孔７内に注射針（図４に於いて５２）の基部（図４に於いて５２ａ）を挿入し、前記操作レバー９の把持を緩めて、操作レバー９を矢印Ａと反対方向に戻すと、前記回転体２３も矢印Ｂと反対方向に回転し、把持片２１，２１，２１の先端部２１ａ，２１ａ，２１ａも矢印Ｄ，Ｄ，Ｄと反対方向に移動することにより、挿入孔７内に突出し、先端部２１ａ，２１ａ，２１ａが3点支持により注射針の基部を把持する。この時、把持片２１，２１，２１の先端部２１ａ，２１ａ，２１ａは、バネ３０の付勢により、注射針の基部を適度の圧力によって圧接する。
【００３０】
次に、前記注射針取り外し器１の操作方法について説明すると、図４に示す如く、前記操作レバー９を矢印Ａの方向に操作した状態で、前記把持片２１，２１，２１の先端部２１ａ，２１ａ，２１ａを挿入孔７から外方に移動させ、挿入孔７の隙間を開放し、注射器５１に螺着された所謂ロック式の注射針５２を注射針取り外し器１の挿入孔７内に挿入し、操作レバー９を離すと、注射針５２は、注射針５２の基部５２ａが把持片２１，２１，２１に圧接状態に把持されて保持される。
【００３１】
そして、図５（ａ）に示すように、注射針取り外し器１を操作者が手等で把持して固定した状態で、注射器５１を矢印Ｅの如く反時計回り方向に回転させると、注射針５２から注射器５１が離脱し、次に、同図（ｂ）に示すように、矢印Ｆの如く、操作レバー９を操作すると、注射針５２は把持片２１，２１，２１の把持から開放されて自重により容器２内に落下する。そして、操作レバー９を離すと操作レバー９は、矢印Ｇの如く、初期位置に復帰する。
【００３２】
尚、ロック式注射針でない場合、例えば、差込式の場合等は、注射針５２の基部５２ａが把持片２１，２１，２１に把持された状態で、注射器５１を上方に引き抜くと注射器５１が注射針５２から離反する。
【００３３】
前述の動作を繰り返して容器２内に注射針５２が一杯になったら、図６（ａ）に示す如く、蓋体５と一体になった把持部材１０を矢印Ｈの如く反時計回りに回転させて容器２から、蓋体５と一体になった把持部材１０を離反させ、同図（ｂ）に示す如く、代わりの他の蓋体５３を容器２の開口部３に装着して容器２を廃棄する。
【００３４】
そして、蓋体５と一体になった把持部材１０を他の空の容器（図示せず）に装着して前述と同様に使用する。
【００３５】
斯くして、本考案の注射針取り外し器１は、注射器５１に取り付けた注射針５２を、注射針５２に触れることなく、安全、且つ、容易に取り外しができると共に、注射針５２を収納でき、収納した注射針５２，５２…を容器２と共に安全に廃棄することができる。又、本考案の注射針取り外し器１に用いる把持部材１０は、市販の鉛筆削り器等に取り付けられる鉛筆を把持する部材を利用できるので、注射針取り外し器１を安価に製作できる。
【００３６】
又、本考案の注射針取り外し器１は、３つの把持片２１，２１，２１の先端部２１ａ，２１ａ，２１ａによって３点支持により前記注射針５２の基部５２ａを把持するように構成されているので、注射針５２を安定して把持できる。
【００３７】
更に、本考案の注射針取り外し器１は、一般の歯科注射針の取り外しに適用できると共に、医科一般に筋肉注射・血管内注射に用いられている注射針と注射器に於いても、翼状針以外全ての注射針に適用でき、同様の効果が期待できる。
【００３８】
更に又、本考案の注射針取り外し器１は、医科に於いて用いられる、注射針をロック式（ねじ込み式）で装着する注射器にも対応しており、同様に、注射針に触れることなく、安全、且つ、容易に取り外しができると共に、注射針を収納できる等、極めて汎用性の高いものである。
【００３９】
尚、前記把持部材１０の把持構造は、注射針５２の基部５２ａを把持できる構造であれば、他の把持構造であっても良く、例えば、前記把持片２１の先端部
２１ａが爪形状に形成されても良い。
【００４０】
又、前記容器２はポリエチレン等から形成されるが、それに代えて他の樹脂によって形成しても良く、金属、ガラス等で形成しても良い。
【図面の簡単な説明】
【００４１】
【図１】本考案による注射針取り外し器の斜視図である。
【図２】本考案による注射針取り外し器を分解した状態を示す斜視図である。
【図３】（ａ）図１の把持部材の操作レバーを操作する前の状態を示す平面図である。（ｂ）図１の把持部材の操作レバーを操作した状態を示す平面図である。
【図４】（ａ）本考案による注射針取り外し器に注射針を挿入する前の状態を示す正面図である。（ｂ）本考案による注射針取り外し器に注射針を挿入した状態を示す正面図である。
【図５】（ａ）本考案による注射針取り外し器に注射針を挿入して、注射器を取外す状態を示す正面図である。（ｂ）本考案による注射針取り外し器によって注射針を取外した状態を示す正面図である。
【図６】（ａ）本考案による注射針取り外し器の蓋体と把持部材を取外す状態を示す正面図である。（ｂ）注射針を多量に収納し、蓋体と把持部材を取外した容器に他の蓋体を装着して廃棄できるようにした状態を示す正面図である。
【符号の説明】
【００４２】
１  注射針取り外し器
２  容器
３  開口部
４  連通孔
５  蓋体
７  挿入孔
８  把持部
９  操作レバー
１０  把持部材
２１  把持片
２１ａ  先端部
５１  注射器
５２  注射針
５２ａ  基部
【図１】
0003115180.tif 000003
【図２】
0003115180.tif 000004
【図３】
0003115180.tif 000005
【図４】
0003115180.tif 000006
【図５】
0003115180.tif 000007
【図６】
0003115180.tif 000008